(57)【要約】【課題】コピー防止効果に優れ、かつ、原本の視認性に優れたコピー防止シートを提供する。【解決手段】本発明のコピー防止シート１０は、表示部２１に貼り付けられた状態において最も外側に配される第１のフィルム１１と、第１のフィルム１１の一方の面１１Ａに重ねられた金属薄膜層１３と、金属薄膜層１３に部分的に形成された第１の粘着剤層１４Ａと、第１のフィルム１１の金属薄膜層１３側の面１１Ａまたは金属薄膜層１３の第１の粘着剤層１４Ａ側の面１３Ａに形成されたホログラム１２と、第１の粘着剤層１４Ａを形成した層１４に重ねられた第２のフィルム１６と、第２のフィルム１６に重ねられた第２の粘着剤層１７と、を備える。第２のフィルム１６または第２の粘着剤層１７において、可視光の透過率を５０％以上８０％以下とした。【選択図】図２
2011107404.tif 000002
【特許請求の範囲】
【請求項１】
特定の情報が表示される表示部に貼り付けられて前記表示部のコピーを防止するコピー防止シートであって、
前記表示部に貼り付けられた状態において最も外側に配される第１のフィルムと、金属を含み前記第１のフィルムの一方の面に重ねられた金属薄膜層と、前記金属薄膜層の前記第１のフィルムとは反対側の面に部分的に形成された第１の粘着剤層と、前記第１のフィルムの前記金属薄膜層側の面または前記金属薄膜層の前記第１の粘着剤層側の面に形成されたホログラムと、前記第１の粘着剤層が形成された層に重ねられた第２のフィルムと、前記第２のフィルムの前記第１の粘着剤層側の面とは反対側の面に重ねられた第２の粘着剤層と、を備え、
前記第２のフィルムまたは前記第２の粘着剤層において、可視光の透過率を５０％以上８０％以下としたことを特徴とするコピー防止シート。
【請求項２】
前記表示部に貼り付けられる状態としたコピー防止シートの可視光の透過率が５０％以上８０％以下であることを特徴とする請求項１に記載のコピー防止シート。
【請求項３】
前記第２のフィルムは、透明フィルムに印刷を施して得られる着色フィルム、または有色のフィルムであることを特徴とする請求項１または請求項２に記載のコピー防止シート。
【請求項４】
前記着色フィルムは、分光測色計によるＬ値が５０〜６０でａ値が０〜２．０でｂ値が０〜２．０の黒色系のインキ、Ｌ値が５０〜６０でａ値が４７〜４９でｂ値が−７．０〜−５．０の赤色系のインキ、Ｌ値が６０〜７０でａ値が３．０〜５．０でｂ値が２５〜２７の黄色系のインキ、およびＬ値が５５〜６５でａ値が−２２〜−２０でｂ値が−３５〜−３３の青色系のインキから選ばれるインキを、前記透明フィルムの少なくとも一方の面に印刷して得られることを特徴とする請求項３に記載のコピー防止シート。
【請求項５】
前記有色のフィルムは、分光測色計によるＬ値が５０〜６０でａ値が０〜２．０でｂ値が０〜２．０の黒色系のフィルム、Ｌ値が５０〜６０でａ値が４７〜４９でｂ値が−７．０〜−５．０の赤色系のフィルム、Ｌ値が６０〜７０でａ値が３．０〜５．０でｂ値が２５〜２７の黄色系のフィルム、およびＬ値が５５〜６５でａ値が−２２〜−２０でｂ値が−３５〜−３３の青色系のフィルムから選ばれることを特徴とする請求項３に記載のコピー防止シート。
【請求項６】
前記第２の粘着剤層は、分光測色計によるＬ値が５０〜６０でａ値が０〜２．０でｂ値が０〜２．０の黒色系の粘着剤、Ｌ値が５０〜６０でａ値が４７〜４９でｂ値が−７．０〜−５．０の赤色系の粘着剤、Ｌ値が６０〜７０でａ値が３．０〜５．０でｂ値が２５〜２７の黄色系の粘着剤、およびＬ値が５５〜６５でａ値が−２２〜−２０でｂ値が−３５〜−３３の青色系の粘着剤から選ばれる粘着剤により形成されることを特徴とする請求項１ないし請求項５のいずれか一項に記載のコピー防止シート。
【請求項７】
前記ホログラムは、前記第１のフィルムの一方の面にエンボス加工を施すことにより形成され、このホログラムに金属を蒸着することにより前記金属薄膜層が積層されていることを特徴とする請求項１ないし請求項６のいずれか一項に記載のコピー防止シート。
【請求項８】
前記金属薄膜層は、酸化アルミを蒸着してなる透明な金属蒸着層であることを特徴とする請求項１ないし請求項７のいずれか一項に記載のコピー防止シート。
【請求項９】
前記第２の粘着剤層の、前記第２のフィルムとは反対側の面に剥離シートを設けたことを特徴とする請求項１ないし請求項８のいずれか一項に記載のコピー防止シート。
【発明の詳細な説明】
【技術分野】
【０００１】
本発明は、コピー防止シートに関する。
【背景技術】
【０００２】
印影や個人情報などの機密情報をコピー機により複写するのを防止するために、当該機密情報が表示される表示部に貼り付けられるコピー防止シールが提案されている（例えば特許文献１を参照）。特許文献１に記載のコピー防止シールは、フィルムに所定の画像を有するホログラム、金属薄膜層および接着層を順に重ねた構成のものであり、接着層は金属薄膜層の一方の面の全域に形成されている。
【０００３】
ホログラムが設けられているシールを情報が記載された書類に貼り付け、当該書類をコピー機により複写すると、複写物においては当該書類（原本）のホログラムの画像に対応する部分に白抜け状態が生じる。これにより、コピーしたものであることが判明するとともに、原本に記載された情報がそのまま再現されるのを困難なものとする。
【先行技術文献】
【特許文献】
【０００４】
【特許文献１】特開平６−２５９０１３号公報
【発明の概要】
【発明が解決しようとする課題】
【０００５】
しかしながら、特許文献１に記載のコピー防止シールを用いた場合、白抜け状態の部分が十分に生じず、ホログラムを設けたことによる十分なコピー防止効果が得られなかった。
【０００６】
コピー防止効果を高める方法として、特許文献１に記載のコピー防止シールと同様の構成のものにおいて、金属薄膜層の金属含有量を増やす方法を検討したが、この方法では、コピー防止シールが貼り付けられている書類（原本）の視認性が低下してしまうという問題があった。
【０００７】
また、ホログラムを、書類に貼り付けた際に最も外側に配される面に形成したものでは、優れたコピー防止効果が得られるが、溶剤などで表面をふきとることによりホログラム層が容易に剥がされてしまうため、ホログラム層によるコピー防止効果が得られなくなってしまい、偽造が容易になってしまう。
【０００８】
さらに、フィルム層と金属薄膜層とをこの順に積層し、金属薄膜層のフィルム層とは反対側の面にホログラムを形成し、ホログラム形成面の全域に書類に貼り付けるための粘着剤を塗布したもの（構成１のコピー防止シートとする）についても検討したが、コピー防止効果が十分ではなかった。
【０００９】
本発明は上記のような事情に基づいて完成されたものであって、コピー防止効果に優れ、かつ、原本の視認性に優れたコピー防止シートを提供することを目的とする。
【課題を解決するための手段】
【００１０】
上記の構成１のコピー防止シートにおいて、コピー防止効果が十分でなかった理由の詳細は不明であるが以下のように考えられる。
一般的なホログラムはホログラム形成面にエンボス加工などを施すことにより、凹凸状に形成される。構成１のコピー防止シートでは、ホログラムを構成する凹凸形状のところに、粘着剤が入り込むことにより光の屈折が起こり難くなり、ホログラム形成による白抜け効果が十分に得られなかったのではないかと考えられる。また、上記構成のものでは全面に接着層が形成されており、空気の層がないために光の屈折が起こり難いのも一因ではないかと考えられる。
【００１１】
そこで、構成１のコピー防止シートにおいて、粘着剤をホログラム形成面に部分的に塗布して部分的に粘着剤層を形成したもの（構成２のコピー防止シートとする）について検討をおこなった。構成２のコピー防止シートを貼り付けた書類（原本）をコピー機により複写すると、得られた複写物において、白抜け状態のところが十分に生じるものの、白抜け状態のところ以外の部分では、原本に記載された情報を読み取り可能な部分が生じてしまう。つまり、構成２のコピー防止シートでは、粘着剤層を全域に形成した構成１のシートよりはコピー防止効果は向上したが、まだ十分とはいえなかった。
【００１２】
上記課題を解決すべく、更なる検討を行った結果、本発明に到達した。すなわち、本発明は、特定の情報が表示される表示部に貼り付けられて前記表示部のコピーを防止するコピー防止シートであって、前記表示部に貼り付けられた状態において最も外側に配される第１のフィルムと、金属を含み前記第１のフィルムの一方の面に重ねられた金属薄膜層と、前記金属薄膜層の前記第１のフィルムとは反対側の面に部分的に形成された第１の粘着剤層と、前記第１のフィルムの前記金属薄膜層側の面または前記金属薄膜層の前記第１の粘着剤層側の面に形成されたホログラムと、前記第１の粘着剤層が形成された層に重ねられた第２のフィルムと、前記第２のフィルムの前記第１の粘着剤層側の面とは反対側の面に重ねられた第２の粘着剤層と、を備え、前記第２のフィルムまたは前記第２の粘着剤層において、可視光の透過率を５０％以上８０％以下としたところに特徴を有する。
【００１３】
本発明のコピー防止シートを書類（原本）に貼り付けてコピー機により複写する。コピー機では情報を読みとる際に、複写対象となる用紙が光を照射して、反射した光の明るさを読みとって再現する。本発明のコピー防止シートにはホログラムが形成されているので、ホログラフィーの原理により、複写物には白抜け状態のところが生じる。
【００１４】
本発明のコピー防止シートにおいては、第１の粘着剤層が部分的に設けられているので、第１のフィルムと金属薄膜層との間の層（第１の粘着剤層が形成された層）には、第１の粘着剤層と空気の層とが形成されている。なお、ホログラムが形成されている面に第１の粘着剤層が設けられている場合でも、第１の粘着剤層は部分的に設けられているので、ホログラムを構成する凹凸部分の全てに粘着剤が入り込むということはない。その結果、本発明によれば、白抜け状態のところが十分に生じる。
【００１５】
さらに、本発明においては、第２のフィルムまたは第２の粘着剤層において、可視光の透過率を５０％以上８０％以下としたので、原本の視認性を良好に保ちつつ、複写物において白抜け状態のところ以外の部分が黒ずむ。その結果、本発明によれば、原本の視認性が優れ、かつ、コピー防止効果に優れたコピー防止シートを提供することができる。
本発明において、可視光の透過率は、分光測色計（コニカミノルタ製、ＣＭ−３５００ｄ）により測定される可視光（波長：４００ｎｍ〜８００ｎｍ）の透過率の値である。
【００１６】
本発明は、以下の構成であってもよい。
前記表示部に貼り付ける状態としたコピー防止シートの可視光の透過率が５０％以上８０％以下であってもよい。このような構成とすると、原本の視認性とコピー防止効果を確実に高めることができる。
【００１７】
前記第２のフィルムは、透明フィルムに印刷を施して得られる着色フィルム、または有色のフィルムであってもよい。このような構成とすると、可視光の透過率を５０％以上８０％以下（本発明で規定する範囲）に制御した第２のフィルムを提供することが容易となる。
【００１８】
着色フィルムおよび有色フィルムの構成は以下の構成とすると、第２のフィルムにおいて可視光の透過率を本発明で規定する範囲に制御することが、さらに容易となるので好ましい。
【００１９】
着色フィルムは、分光測色計によるＬ値が５０〜６０でａ値が０〜２．０でｂ値が０〜２．０の黒色系のインキ、Ｌ値が５０〜６０でａ値が４７〜４９でｂ値が−７．０〜−５．０の赤色系のインキ、Ｌ値が６０〜７０でａ値が３．０〜５．０でｂ値が２５〜２７の黄色系のインキ、およびＬ値が５５〜６５でａ値が−２２〜−２０でｂ値が−３５〜−３３の青色系のインキから選ばれるインキを、前記透明フィルムの少なくとも一方の面に印刷して得られる構成とするのが好ましい。
本発明において、Ｌ値、ａ値、ｂ値とは、分光測色計（コニカミノルタ製、ＣＭ−３５００ｄ）により測定された値である。
【００２０】
有色のフィルムは、分光測色計によるＬ値が５０〜６０でａ値が０〜２．０でｂ値が０〜２．０の黒色系のフィルム、Ｌ値が５０〜６０でａ値が４７〜４９でｂ値が−７．０〜−５．０の赤色系のフィルム、Ｌ値が６０〜７０でａ値が３．０〜５．０でｂ値が２５〜２７の黄色系のフィルム、およびＬ値が５５〜６５でａ値が−２２〜−２０でｂ値が−３５〜−３３の青色系のフィルムから選ばれる構成とするのが好ましい。
【００２１】
第２の粘着剤層は、分光測色計によるＬ値が５０〜６０でａ値が０〜２．０でｂ値が０〜２．０の黒色系の粘着剤、Ｌ値が５０〜６０でａ値が４７〜４９でｂ値が−７．０〜−５．０の赤色系の粘着剤、Ｌ値が６０〜７０でａ値が３．０〜５．０でｂ値が２５〜２７の黄色系の粘着剤、およびＬ値が５５〜６５でａ値が−２２〜−２０でｂ値が−３５〜−３３の青色系の粘着剤から選ばれる粘着剤により形成されるものであると、第２の粘着剤層の光透過率を本発明で規定する範囲に制御することが容易となり好ましい。
【００２２】
前記ホログラムは、前記第１のフィルムの一方の面にエンボス加工を施すことにより形成され、このホログラムに金属を蒸着することにより前記金属薄膜層が積層されていてもよい。  
ホログラムが形成されている面に粘着剤層が形成されている場合、ホログラムを構成する凹凸部分に粘着剤が入り込むことがあり、このような場合には光の屈折が起こり難くなってコピー防止効果が低下することが懸念される。そこで、上記のような構成とすると、ホログラムと第１の粘着剤層との間には金属薄膜層が存在し、粘着剤がエンボス加工により形成された凸凹部分に直接入り込むことがないので上記のような問題が生じない。
【００２３】
前記金属薄膜層は、酸化アルミを蒸着してなる透明な金属蒸着層であってもよい。このような構成とすると、原本の視認性に優れるので好ましい
【００２４】
前記第２の粘着剤層の、前記第２のフィルムとは反対側の面に剥離シートを設けてもよい。第２の粘着剤層が剥き出しのものでは、ごみなどの付着などによる粘着性の低下が懸念されるが、このような構成とすると、ごみなどの付着を防止することができるので、粘着性の低下が起こり難い。
【発明の効果】
【００２５】
本発明によれば、コピー防止効果に優れ、かつ、原本の視認性に優れたコピー防止シートを提供することができる。
【図面の簡単な説明】
【００２６】
【図１】実施形態１のコピー防止シートの平面図
【図２】コピー防止シートの断面図
【図３】コピー防止シートを貼り付けた書類（原本）の平面図
【図４】図３の原本をコピー機により複写して得られた複写物の平面図
【図５】実施形態２のコピー防止シートの平面図
【図６】コピー防止シートの断面図
【発明を実施するための形態】
【００２７】
＜実施形態１＞
本発明の実施形態１を図１ないし図４によって説明する。
本実施形態のコピー防止シート１０は、図１に示すように、矩形状をなしており、図２に示すように多層の構造をなしている。本実施形態のコピー防止シート１０は、図２の上側から、第１のフィルム１１、金属を含む金属薄膜層１３、第１の粘着剤層１４Ａが形成された層１４、第２のフィルム１６、第２の粘着剤層１７、および剥離シート１８がこの順に積層された構造のものである。
【００２８】
第１のフィルム１１は書類２０の特定の情報が表示される部分２１（表示部２１に相当）に貼り付けられた状態においては、最も外側に配される。第１のフィルム１１としては、ポリエチレン製フィルムやポリエチレンテレフタレート（ＰＥＴ）製フィルムなどのプラスチックフィルムが好ましく、その厚みは適宜設定することが可能であるが、３８μｍ〜１００μｍ程度が好ましい。第１のフィルム１１としては透明あるいは透明に近いものが好ましい。
【００２９】
第１のフィルム１１の下側面１１Ａにはエンボス加工を施すことにより、ホログラム１２が形成されている。ホログラム１２は正面視においては、図１に示すような多数の三角形が描かれた模様状をなしている。第１のフィルム１１のホログラム形成面１１Ａの断面形状は、図２に示すように、凹凸状をなしている。
【００３０】
第１のフィルム１１の下側面１１Ａには金属薄膜層１３が積層されている。金属薄膜層１３はアルミニウムなどの金属単体、もしくは合金、硫化亜鉛などの金属硫化物、金属窒化物、酸化チタン、酸化アルミニウムなどの金属酸化物などを蒸着（真空蒸着、スパッタリング法、イオンプレーティング法）するか、あるいはメッキ法を施すことにより形成することができる。金属薄膜層１３を形成する材料としては、原本２０の視認性に優れるという点で酸化アルミが好ましい。
【００３１】
金属薄膜層１３と第２のフィルム１６との間には第１の粘着剤層１４Ａが形成されている。詳しくは、金属薄膜層１３の下側面１３Ａ（第１のフィルム１１とは反対側の面１３Ａ）には、図２に示すように、第１の粘着剤層１４Ａと空気の層１５とが交互に設けられている。第１の粘着剤層１４Ａは、例えば、アクリル系樹脂、ビニル系樹脂などを主成分とする透明な粘着剤を用いて、印刷などの塗布方法により形成することができる。
【００３２】
さて、第１の粘着剤層１４Ａが形成されている層１４の下側には、第２のフィルム１６が積層されている。本実施形態では、第２のフィルム１６として可視光（波長：４００ｎｍ〜８００ｎｍ）の透過率が、５０％以上８０％以下のものを用いる。第２のフィルム１６として可視光の透過率が５０％以上８０％以下のものを用いることにより、原本２０の視認性とコピー防止効果をともに優れたものとすることができるからである。
第２のフィルム１６の可視光の透過率が５０％未満では原本２０に貼り付けた際の視認性が悪く、透過率が８０％を超えるものでは十分なコピー防止効果が得られなくなる。
本実施形態において、可視光の透過率とは、分光測色計（コニカミノルタ製、ＣＭ−３５００ｄ）により測定される可視光（波長：４００ｎｍ〜８００ｎｍ）の透過率の値である。
【００３３】
本実施形態においては、第２のフィルム１６として、プラスチック製の透明フィルム１６Ａの一方の面に印刷処理を施して得られる着色フィルムを用いる。図２において第１のフィルム１１を構成する２つの層１６Ａ，１６Ｂのうち、下側の層１６Ａは透明フィルム１６Ａであり上側の層１６Ｂは当該透明フィルム１６Ａに印刷処理を施すことにより形成された着色層１６Ｂである。
【００３４】
透明フィルム１６Ａとしては、ポリエチレン製フィルムやポリエチレンテレフタレート（ＰＥＴ）製フィルムなどのプラスチック製のフィルムを用いることができる。透明フィルム１６Ａの厚みは適宜設定することが可能であるが、１０μｍ〜３０μｍ程度が好ましい。
【００３５】
透明フィルム１６Ａに印刷処理を施す方法としては、網点印刷、ベタ印刷などの方法が挙げられる。ここで、網点印刷を行う場合には印刷処理を施す面の全面積に対する印刷面積（インキがのっている面積）の割合が５０％〜７０％であるのが好ましい。このような割合とすることにより第２のフィルム１６の光透過率を上述した範囲に制御することが容易となる。
【００３６】
透明フィルム１６Ａの印刷処理に用いるインキとしては、分光測色計によるＬ値が５０〜６０でａ値が０〜２．０でｂ値が０〜２．０の黒色系のインキ、Ｌ値が５０〜６０でａ値が４７〜４９でｂ値が−７．０〜−５．０の赤色系のインキ、Ｌ値が６０〜７０でａ値が３．０〜５．０でｂ値が２５〜２７の黄色系のインキ、およびＬ値が５５〜６５でａ値が−２２〜−２０でｂ値が−３５〜−３３の青色系のインキから選ばれるインキを用いるのが好ましい。これらのインキを用いると第２のフィルム１６の可視光の透過率を上述した範囲に制御することが容易となる。
本実施形態において、Ｌ値、ａ値、ｂ値とは、分光測色計（コニカミノルタ製、ＣＭ−３５００ｄ）により測定された値である。
【００３７】
第２のフィルム１６の下側面１６Ｃ（第１の粘着剤層１４Ａ側の面とは反対側の面１６Ｃ）には、第２の粘着剤層１７が積層されている。第２の粘着剤層１７を形成するための粘着剤としては第１の粘着剤層１４Ａを形成する粘着剤と同様のものを用いることができる。
第２の粘着剤層１７の下側には、シリコーンなどの離型性の樹脂の塗布により形成された離型剤処理面を少なくとも一方の面（本実施形態では上側の面）に有する剥離シート１８が積層されている。
【００３８】
本実施形態においては、剥離シート１８を除去した状態のコピー防止シート（表示部２１に貼り付ける状態としたコピー防止シートに相当、すなわち、第１のフィルム１１、金属を含む金属薄膜層１３、第１の粘着剤層１４Ａが形成された層１４、第２のフィルム１６、および第２の粘着剤層１７が積層した積層体１９）の可視光の透過率が４０％以上７０％以下である。
【００３９】
上記積層体１９の可視光の透過率を４０％以上７０％以下に設定する方法としては、金属薄膜層１３、第１の粘着剤層１４Ａおよび第２の粘着剤層１７を形成する材料、ならびに第１のフィルム１１の材料として透明なものあるいは透明に近いものを用い、かつ、第２のフィルム１６として可視光の透過率が５０％以上８０％以下のものを用いる方法が挙げられる。
【００４０】
本実施形態のコピー防止シート１０は、例えば以下の方法により製造される。
まず、第１のフィルム１１の一方の面１１Ａ（図２における下側の面１１Ａ）に、公知の方法によりエンボス加工を施してホログラム１２を形成する。
次に、第１のフィルム１１のホログラム形成面１１Ａに、光反射性の透明な（あるいは透明に近い）金属薄膜層１３を形成する。金属薄膜層１３はアルミニウムなどの金属単体、もしくは合金、硫化亜鉛などの金属硫化物、金属窒化物、酸化チタン、酸化アルミニウムなどの金属酸化物などを蒸着（真空蒸着、スパッタリング法、イオンプレーティング法）するか、あるいはメッキ法を施すことにより形成することができる。
【００４１】
次に、金属薄膜層１３の面のうち、第１のフィルム１１とは反対側の面１３Ａ（図２における下側の面１３Ａ）に印刷などの塗布方法により第１の粘着剤層１４Ａを部分的に形成する。第１の粘着剤層１４Ａはホログラム１２の模様に対応して形成してもよいし、独自の模様を有するように形成してもよい。第１の粘着剤層１４Ａの形成面積の割合は、金属薄膜層１３の下側面１３Ａの面積に対して約３０〜６０％程度であるのが好ましい。
【００４２】
第１の粘着剤層１４Ａを形成した後に、第２のフィルム１６を貼り付ける。次いで、第２のフィルム１６の下側の面１６Ｃに、粘着剤を塗布することにより第２の粘着剤層１７を形成する。さらに、第２の粘着剤層１７の下側に離型剤処理面を上側に向けた剥離シート１８を貼り付けて、所定のサイズ（例えばＡ４）に切断することにより、本実施形態のコピー防止シート１０が得られる。
【００４３】
次に、本実施形態のコピー防止シート１０の使用方法について説明する。
本実施形態のコピー防止シート１０をそのままの状態、あるいは所望の大きさに切断した後、剥離シート１８を除去する。ここで、本実施形態のコピー防止シート１０には、剥離シート１８が設けられているので、使用するまで、ごみなどの付着を防止することができ、粘着性の低下が起こり難い。
【００４４】
剥離シート１８を除去したコピー防止シート１０を、図３に示すように、情報が記載された書類２０（原本２０）のうち、コピーを防止したい部分２１（「特定の情報が記載された表示部２１」に相当）に貼り付ける。本実施形態のコピー防止シート１０では可視光の透過率が５０％以上の第２のフィルム１６を備えるので、コピー防止シート１０の貼り付けられている部分２１の情報は目視により読みとることができる。
【００４５】
次に、コピー防止シート１０を貼り付けた原本２０をコピー機（図示せず）を用いて複写する。
本実施形態のコピー防止シート１０にはホログラム１２が形成されているので、ホログラフィーの原理により、複写物３０にはホログラム１２の模様に対応して白抜け状態のところ３１が生じる（図４を参照）。
【００４６】
特に、本実施形態のコピー防止シート１０では、第１の粘着剤層１４Ａと空気の層１５とが交互に形成されており、ホログラム１２と第１の粘着剤層１４Ａとの間に金属薄膜層１３が存在するため、第１の粘着剤層１４Ａの粘着剤がホログラム１２を構成する凸凹部分に直接入りこむことがない。
【００４７】
その結果、本実施形態のコピー防止シート１０を貼り付けた原本２０の複写物３０においては、図４に示すように白抜け状態のところ３１（白抜け部分３１）が十分に生じる。
さらに、本実施形態では可視光の透過率が８０％以下の第２のフィルム１６を備えるので、複写物３０の白抜け部分以外のところ３２が原本２０よりも黒ずむため、原本２０のコピーを防止したい部分２１に記載されていた情報がほとんど読み取れなくなる。
【００４８】
次に、本実施形態の効果について説明する。
本実施形態においては、第２のフィルム１６の光透過率は５０％以上８０％以下であるので、原本２０の視認性に優れ、複写物３０において白抜け部分以外のところ３２が原本２０よりも黒ずむ。また、本実施形態においては、第２の粘着剤層１７が部分的に設けられているから、複写物３０において白抜け状態のところ３１が十分に生じる。その結果、本発明によれば、原本２０の視認性に優れ、かつ、コピー防止効果に優れたコピー防止シート１０を提供することができる。
特に本実施形態では、表示部２１に貼り付ける状態としたコピー防止シートの可視光の透過率を、４０％以上７０％以下としたので、原本２０の視認性およびコピー防止効果を確実に向上させることができる。
【００４９】
＜実施形態２＞
本発明の実施形態２を図５および図６によって説明する。以下の説明において、実施形態１と同様の構成、作用効果について重複する記載は省略する。
本実施形態では、ホログラム１２の模様および第２のフィルム１６０が実施形態１とは相違する。本実施形態のコピー防止シート１０に形成されたホログラム１２は、実施形態１よりも細かいドット状の模様である（図５を参照）。
【００５０】
本実施形態のコピー防止シート１０に用いられる第２のフィルム１６０は、ポリエチレン製またはＰＥＴ製の色のついたフィルム（有色のフィルム１６０）である。有色のフィルム１６０としては、分光測色計によるＬ値が５０〜６０でａ値が０〜２．０でｂ値が０〜２．０の黒色系のフィルム、Ｌ値が５０〜６０でａ値が４７〜４９でｂ値が−７．０〜−５．０の赤色系のフィルム、Ｌ値が６０〜７０でａ値が３．０〜５．０でｂ値が２５〜２７の黄色系のフィルム、およびＬ値が５５〜６５でａ値が−２２〜−２０でｂ値が−３５〜−３３の青色系のフィルムから選ばれるものが好ましい。このような有色のフィルム１６０を用いることにより、容易に第２のフィルム１６０の可視光の透過率を５０％以上８０％以下に制御することができる。
その他の構成は概ね実施形態１と同様である。
【００５１】
本実施形態によれば、実施形態１と同様に、原本２０の視認性に優れ、かつ、コピー防止効果に優れたコピー防止シート１０を提供することができる。
特に、本実施形態では第２のフィルム１６０として有色のフィルム１６０を用いるので印刷処理工程が不要である。その結果、本実施形態によれば、製造コストを低減することが可能である。
さらに、本実施形態によれば、ホログラム１２の模様が細かいドット状の模様なので、細かい字などで記載された事項のコピーを防止するのに特に有効である。
【００５２】
＜他の実施形態＞
本発明は上記記述及び図面によって説明した実施形態に限定されるものではなく、例えば次のような実施形態も本発明の技術的範囲に含まれる。
（１）上記実施形態では、可視光の透過率が５０％以上８０％以下の第２のフィルムを備えるものを示したが、第２のフィルムとして透明あるいは透明に近いフィルム（可視光の透過率が８０％よりも高いもの）を備え、第２の粘着剤層として可視光の透過率が５０％以上８０％以下の粘着剤層を備えるものを用いてもよい。この場合、第２の粘着剤層を、分光測色計によるＬ値が５０〜６０でａ値が０〜２．０でｂ値が０〜２．０の黒色系の粘着剤、Ｌ値が５０〜６０でａ値が４７〜４９でｂ値が−７．０〜−５．０の赤色系の粘着剤、Ｌ値が６０〜７０でａ値が３．０〜５．０でｂ値が２５〜２７の黄色系の粘着剤、およびＬ値が５５〜６５でａ値が−２２〜−２０でｂ値が−３５〜−３３の青色系の粘着剤から選ばれる粘着剤により形成すると、容易に第２の粘着剤層の可視光の透過率を５０％以上８０％以下に制御することができるので好ましい。
（２）上記実施形態１では、予め作製した第２のフィルムを第１の粘着剤層に貼り付けたが、第１の粘着剤層に透明フィルムを貼り付けてから、透明フィルムに印刷処理を施してもよい。
（３）上記実施形態では、第１のフィルムの一方の面にエンボス加工を施すことにより形成されたホログラムを備えるものを示したが、例えば、フィルムの下側の面に金属薄膜層を積層してから、金属薄膜層の下側の面にエンボス加工を施すことにより形成されたホログラムを備えるものであってもよい。
（４）上記実施形態では、三角形が多数描かれたものやドットが多数描かれたホログラムを示したが、ホログラムの模様は、亀甲柄や格子状のものなどであってもよい。
（５）上記実施形態では、剥離シートを備えるものを示したが、剥離シートを備えないものであってもよい。
【符号の説明】
【００５３】
１０…コピー防止シート
１１…第１のフィルム
１１Ａ…第１のフィルムの一方の面（第１のフィルムの金属薄膜層側の面）
１２…ホログラム
１３…金属薄膜層
１３Ａ…金属薄膜層の第１のフィルムとは反対側の面（金属薄膜層の第１の粘着剤層側の面）
１４…第１の粘着剤層が形成された層
１４Ａ…第１の粘着剤層
１６…第２のフィルム
１６Ａ…透明フィルム
１６Ｂ…着色層
１６Ｃ…（第２のフィルムの）第１の粘着剤層側の面とは反対側の面
１７…第２の粘着剤層
１７Ａ…（第２の粘着剤層の）第２のフィルムとは反対側の面
１８…剥離シート
１９…積層体（表示部に貼り付ける状態としたコピー防止シート）
２０…書類（原本）
２１…表示部
１６０…第２のフィルム（有色のフィルム）
【図１】
2011107404.tif 000003
【図２】
2011107404.tif 000004
【図３】
2011107404.tif 000005
【図４】
2011107404.tif 000006
【図５】
2011107404.tif 000007
【図６】
2011107404.tif 000008